(57)【要約】【課題】床面との隙間が一定でない場合でも、施錠後の状態を安定させることができ、組立てが容易なフランス落しを提供すること【解決手段】  フランス落し５は、本体６の背面に設けられた凹部９ａ、凹部９ｂ、凹部１０にガイド２０を介して所定のストロークで上下動可能に支持された摘み１４を有するスライダー１３が収納され、スライダー２０の背面に磁石１９を収納するとともに、鉄製の背板２２が樹脂シート２１を介してガイド２０とともに本体６に固定されている。【選択図】図２
2014234635.tif 000002
【特許請求の範囲】
【請求項１】
本体に対して所定範囲を上下動可能に支持されたスライダーが設けられ、スライダーの下端にはロッド棒が設けられるとともにロッド棒の下端部を床面に形成した凹部に係合させてドアを固定するフランス落し装置において、
本体の背面に溝部を設けてスライダーがガイドを介して収納され、スライダーの背面側には凹部を設けて磁石を収納し、本体背面に樹脂シートを配設するとともに磁性を有する鉄製の背板を配設し、本体背面にガイドと樹脂板と背板をネジ固定したことを特徴とするフランス落し。
【請求項２】
請求項１記載のフランス落しにおいて、
背板には、スライダーが開錠状態となる収納位置にあるときに、磁石に隣接しかつ施錠する側に係止部を設けたことを特徴とするフランス落し。
【請求項３】
請求項１および請求項２記載のフランス落しにおいて、
磁石をネオジム磁石とすることを特徴とするフランス落し。
【発明の詳細な説明】
【技術分野】
【０００１】
本発明は、例えば開きドアの親子ドアにおいて子ドアを固定するフランス落しに係り、特に落し棒の上下ストロークを大きく設定しておき、ドアと床面の隙間が一定でない場合に床面に設ける凹部に挿入する落し棒を挿入後に停止した状態において振動や衝撃等で容易に浮き上がらず、組立てが容易なフランス落しに関するものである。
【背景技術】
【０００２】
従来、この種のフランス落しは、落し棒の上下スライドにおいて、摘みレバーと落し棒の間に軸を介在させることで摘みレバーを回動してロッド棒を上下に摺動するものがある。
【０００３】
また、落し棒と凹部を複数個所設けたスライダーに対して凸部を設けた板バネをベース体に溶接して板バネの凸部とスラーダーの凹部が係止して昇降時の保持ができるようにするとともに、ストロークを大きく設定しておき３段階以上で係止できるようにしたものがある（特許文献１：特開２０００５−１８８１１７号公報参照）。
【０００４】
さらに、縦框の仕切り壁を挟んで外方に摘み部材を設け、内方に落し棒を設け互いに隣接する側に断面コ字状のホルダーに磁石を嵌合接着させて、互いの磁石で磁着した状態で摘みを昇降させることで落し棒も縦框内を昇降できるようにしたものがある（特許文献１：特開平９−３１７３６４号公報参照）。
【先行技術文献】
【特許文献】
【０００５】
【特許文献１】特開２０００５−１８８１１７号公報
【特許文献２】特開平９−３１７３６４号公報
【発明の概要】
【発明が解決しようとする課題】
【０００６】
しかし、従来の構成では、次のような問題があった。
摘みレバーと落し棒の間に軸を介して摘みレバーを回動させてロッド棒を上下するため一定のストロークでしか操作することができないため、床面との隙間が大きい場合には凹部に届かない場合や挿入代が少なくなる場合がある。
また、凹部にゴミ等が入り込むことで挿入深さが足りなくなる場合には摘みレバーが所定の位置に収まらずに扉から突出することになり、親扉を閉めることができなくなる場合がある。
【０００７】
そこで、特許文献1では、板バネに凸部を設けるとともにスライダーに３箇所以上の係止凹部を設けて、床面との隙間が大きい場合にも対応可能に構成されているが、係止部を設ける間隔によっては、床面に設けた凹部に充分に挿入できず、係止位置でないところでは、子ドアの固定において衝撃等を受けた場合に不安定となり、容易に摺動し易く衝撃により、落し棒が跳ね上ることで１つ上の係止部に入り込み、床面の凹部への係りが浅くなり挿入状態において不安定となる場合がある。
また、板バネを溶接するなど組立てにおいて容易ではない。
【０００８】
さらに特許文献２では、框枠の隔壁を挟んで、落し棒と摘み側に各々磁石を配設しており、摘みを下げた場合に、落し棒が床面の凹部内に挿入されて停止したにも関わらず、摘みだけをさらに下げることができるため、磁力の影響範囲を外れたところで手を離した場合には、磁力により保持されている摘みが縦框下端まで落下してしまうことになり、操作性において問題がある。また、落し棒が凹部に挿入されずに凹部の縁や床面で止まった状態においても同様で、確実に挿入することができない場合がある。
また、開錠状態においては磁力が強くても振動や衝撃が加えられれば自重により徐々に落下してくるおそれもある。
【０００９】
本発明は、このような点に基づいてなされたもので、その目的とするところは、ドア下端面と床面の隙間が一定でなく、スライダーが途中で停止位置であっても安定した保持を有し、組立てが容易なフランス落し提供することにある。
【課題を解決するための手段】
【００１０】
上記課題を解決するべく請求項１に記載されたフランス落しは、本体に対して所定範囲を上下動可能に支持されたスライダーが設けられ、スライダーの下端にはロッド棒が設けられるとともにロッド棒の下端部を床面に形成した凹部に係合させてドアを固定するフランス落し装置において、本体の背面に溝部を設けてスライダーがガイドを介して収納され、スライダーの背面側には凹部を設けて磁石を収納し、本体背面に樹脂シートを配設するとともに磁性を有する鉄製の背板を配設し、本体背面にガイドと樹脂板と背板をネジ固定したことを特徴とするものである。
【００１１】
また、請求項１記載のフランス落しにおいて、背板にはスライダーが開錠状態となる収納位置にあるときに、磁石に隣接しかつ施錠する側に係止部を設けたことを特徴とするものである。
【００１２】
また、請求項１および請求項２記載のフランス落しにおいて、磁石をネオジム磁石とすることを特徴とするものである。
【発明の効果】
【００１３】
以上述べたように、請求項１記載のフランス落しによると、スライダーに収納された磁石が樹脂シートを介して背板に磁着した状態でスライドするので、昇降の操作性を阻害せず、施錠状態においても振動や衝撃が加えられても安定した保持状態を得ることができる。また、本体に対してスライダー、ガイド、マグネットを収納してから、樹脂シートと背板をガイドとともに本体にネジ固定するだけで組立てできるので特別な工具や手間を必要とせず組立てが容易である。
【００１４】
また、請求項２によると、背板には開錠状態において磁石に隣接しかつ施錠する側に係止部があるため、振動や衝撃が作用しても自重で落下するおそれがない。
【００１５】
さらに、請求項３によると、磁石をネオジム磁石としたので、施錠および開錠状態においてフェライト磁石に比べて強いロッド棒の保持が可能となる。
【図面の簡単な説明】
【００１６】
【図１】本発明のフランス落しを取付けた扉を示す図である。
【図２】本発明の一実施の形態を示す図で、フランス落しの背面側より見た展開斜視図である。
【図３】本発明の一実施の形態を示す図で、フランス落しの背面側より見てスライダーを収めた状態を示す展開斜視図である。
【図４】本発明の一実施の形態を示す図で、フランス落しの要部拡大断面図である。
【図５】本発明の一実施の形態を示す図で、図４の５Ａ−５Ａ線断面図と５Ｂ−５Ｂ線断面図である。
【発明を実施するための形態】
【００１７】
以下、図１乃至図５を参照して、本発明の一実施の形態について説明する。
【００１８】
図１は、本実施形態にかかるフランス落しを取付けた扉を示す図、図２はフランス落しの背面側より見た展開斜視図である。図３はフランス落しの背面側より見てスライダーを収めた状態を示す展開斜視図、図４は本実施形態にかかるフランス落しの要部拡大断面図である。図５は図４の５Ａ−５Ａ線断面図と５Ｂ−５Ｂ線断面図である。
【００１９】
図１において開閉する扉１のヒンジ取付け部と反対の側面２下方にフランス落し５が設けられているとともに扉１に内蔵される形態でフランジ１１、１２に設けられている穴にネジを通して扉に固定されている。
フランス落し５のフランジ１１、１２が露出する側面２側には摘み１４が上下にスライド可能な凹部８が設けられているとともに、凹部８の底には摘み１４がスライド可能な長穴７が設けられており、スライド１３に設けられている摘み１４を下方に下げるとロッド棒１８の先端が扉１の底面に設けられた穴３より床面の凹部４に挿入される。
また、通常に設定する扉１と床面との隙間ＡＦに対して２倍以上の隙間ＢＦまで対応できるような長穴７の長さをＷとしてストロークをＢまで確保できるような大きさとしている。
【００２０】
図２においてフランス落し５は本体６、スラーダー１３、磁石１９、ガイド２０、樹脂シート２１、背板２２、ロッド棒１８からなる。
【００２１】
本体６は非磁性体からなるアルミニウム等で成型されており、背面にスライダー１３を収納可能な凹部９ａ、９ｂおよび凹部１０を有しており、平面視において略コ字状をなしている。また、背面の上下左右には背面よりネジａ、ｂ、ｃ、ｄを累合するネジ穴６ａ、６ｂ、６ｃ、６ｄが設けられている。
【００２２】
扉側面２側（以下フランス落し５の正面側という）には固定するためのフランジ１１、１２が設けられ、凹部８と背面側の凹部１０の間にはスライダー１３の摘み１４が通過できるとともに上下に移動可能な長穴７が設けられている。
【００２３】
スライダー１３は非磁性体からなるアルミニウム等で成型されており、正面側に摘み１４が設けられているとともに、背面側には磁石１９を収納可能で収納した際に上下左右に移動しないような凹部１５が設けられており、上下には凹部１５よりも巾の狭いスライド部１３ａ、１３ｂが設けられている。さらにスライド部１３ｂの下端にはロッド棒１８を接続可能なネジ穴１７を有する接続部１６が設けられている。
【００２４】
ガイド２０は、摺動抵抗が低くかつ破損や磨耗し難いフッ素樹脂やＰＯＭ樹脂からなり、略下駄状の形状とするとともに、歯の先端２０ｃは内向きに鈎形状をなしている。両端には本体６のビス穴６ａ、６ｂおよびビス穴６ｃ、６ｄと同間隔に穴２０ａ、２０ｂが設けられている。
また、ガイド２０は樹脂であるため外力を加えた場合には容易に変形することができるので、下方ガイドは少し広げてスライド部１３ｂに容易に嵌めこむことができる。
【００２５】
樹脂シート２１は、ガイド２０と同様に摺動抵抗が低くかつ破損や磨耗し難いフッ素樹脂やＰＯＭ樹脂からなり、厚さが０．２ｍｍの四角形状をなすシートで４隅には本体６のビス穴６ａ、６ｂ、６ｃ、６ｄと同間隔で穴が設けられている。
【００２６】
背板２２は磁性体である鉄からなり、樹脂シート２１な四角形状をなし４隅には本体６のビス穴６ａ、６ｂ、６ｃ、６ｄと同間隔で穴が設けられている。
さらに上方には磁石１９が上方へ移動した際に磁石１９の下端に位置するところにフランス落し５の正面側に突出する段差を構成するような突出部２３が設けられている。
【００２７】
次に図２および図３によりフランス落し５の組立て方法を説明する。
スライダー１３のスライド部１３ａ、１３ｂにガイド２０、２０を差込んだ状態（図２の小組み状態）で本体６の背面側より摘み１４を長穴７に通してスライダー１３を本体６背面の凹部１０に収納する。この際、スライド部１３ａ、１３ｂは凹部９ａ、凹部９ｂに収納され、凹部１５を構成する部分は凹部１０に収納される。
【００２８】
ガイド２０、２０の穴２０ａ、２０ｂを本体６のネジ穴６ａ、６ｂおよびにネジ穴６ｃ、６ｄ位置あわせし、スライダーの凹部１５に磁石１９を入れる。
その上に樹脂シート２１と背板２２を置いて、樹脂シート２１に設けた穴２１ａ、２１ｂ、２１ｃ、２１ｄと背板２２に設けた穴２２ａ、２２ｂ、２２ｃ、２２ｄを本体６のネジ穴６ａ、６ｂ、６ｃ、６ｄに合わせてネジａ、ｂ、ｃ、ｄで固定する。
【００２９】
次に図４、図５により、詳細な組立て状態を説明する。
図４により、スライダー１３が上端に置かれている状態において磁石１９はスライダー１３の凹部１５に収められるとともに樹脂シート２１を介して背板２２に磁着している。磁石１９は凹部１５に収納されているのみで、深さ方向に移動可能な状態で収められており、凸部２３で形成された段差により下方への係止部となっている。
【００３０】
また図５の（Ａ）は図４の５Ａ−５Ａ線断面図でここに示すように、スライダー１３のスライド部１３ａ、１３ｂはガイド２０により摺動可能に位置決めされており、本体６や樹脂シート２１と接触せずに前後左右に固定されている。
【００３１】
図５の（Ｂ）は図４の５Ｂ−５Ｂ線断面図でここに示すように、スライダー１３が下方へ移動する場合には、磁石１９が凸部２３に追従して変形している樹脂シート２１の凸変形２１ｅを乗り越えなければならないが、凸変形２１ｅの高さｈ１を充分に移動できる隙間ｈ２が設けられており、スライダー１３への影響がなくスムーズな動きを確保できる。
【００３２】
なお、磁石１９（１５ｍｍ×１５ｍｍ）はネオジム磁石を用いることで、ロッド棒１８（ステンレス製で直系８ｍｍ、長さが約２７ｃｍ、重さ約０．１ｋｇ）を保持するのに充分な磁着力を有し、０．２ｍｍの樹脂シート２１を介して摺動するのに約０．５〜０．６ｋｇｆの力が必要となるが、摘み１４を操作するのに何ら問題はなくかつ充分にロッド棒１８を保持することができ、振動や衝撃でずれることもなく施錠および開錠状態においても充分に安定させることができる。
【００３３】
また、開錠時であるスライダー１３が上端にある位置から下方へ下ろす際に、樹脂シート２１を介して背板２２に設けた段差２３を越えるのに約１．５ｋｇｆの力を要するため、開錠状態においても衝撃や振動等の外力が加えられた場合においても下がることがなく確実に保持状態を維持することができる。
【００３４】
したがって手で操作する際にも重さや痛さを感じることなく操作性においても問題はない。
なお、樹脂シートの厚さを０．１ｍｍや０．３ｍｍに変更することで容易にその磁着力を変更することもできる。
さらにネオジム磁石は錆が発生しやすいため通常ニッケルメッキが施されているが、樹脂シートを介して摺動することでニッケルメッキの磨耗を防ぐことができるため錆の発生するおそれもない。
【００３５】
上記のように構成されるフランス落しは、スライダーの背面側に磁石を収納する収納部を設け、本体の背面に摺動可能な溝部を設けてスライダーとガイドを収納し、本体背面に樹脂シートを介して磁性を有する背板を本体背面に固定したので、任意の位置でも施錠状態を安定して保持できる。
【００３６】
また、スライダーにガイドを差込んだ状態で本体の背面側より摘みを長穴に通してスライダーを本体背面のスペースにはめ込み、ガイドの穴を本体のネジ穴に位置あわせし、スライダーの凹部に磁石を入れる。
その上に樹脂シートと背板に設けた穴を本体のネジ穴に合わせて配設してネジで固定するだけなので組立てを容易におこなうことができる。
【産業上の利用可能性】
【００３７】
本発明は、扉と床面との隙間が一定でない場合にも安定した係止ができるようにしたフランス落しに係り、例えば、食品衛生に関する基準（ＨＡＣＣＰ等）に従って、床面に勾配を設ける場合に両開き中央での隙間が可変する開口に設けられるフランス落しに好適である。
【符号の説明】
【００３８】
６  本体
１４ 摘み
１９  磁石
１８  ロッド棒
２０  ガイド
２１  樹脂シート
２２  背板
【図１】
2014234635.tif 000003
【図２】
2014234635.tif 000004
【図３】
2014234635.tif 000005
【図４】
2014234635.tif 000006
【図５】
2014234635.tif 000007